(57)【特許請求の範囲】
【請求項１】
リール本体、前記リール本体に支持されるモータ、前記モータによって回転駆動されるスプール、前記スプールの回転情報を検出する回転検出部、前記モータを操作する操作部、及び検出された前記スプールの回転情報から表示情報を生成可能な表示情報生成部、を有する電動リールと、
前記電動リールの外部に設けられ、前記電動リールに電力を供給する給電装置と、
前記給電装置に設けられ、前記表示情報を汎用の表示装置に無線発信可能であり、前記汎用の表示装置からの信号を受信可能な通信部と、
前記操作部の操作に応じて前記モータを制御可能なモータ制御部と、
を備え、
前記表示情報を表示するための専用の表示装置を備えておらず、
前記モータ制御部は、前記給電装置と前記電動リールの少なくともいずれか一方に設けられる、電動リールシステム。
【請求項２】
前記操作部は、前記リール本体に移動可能に設けられる操作部材と、前記操作部材の移動位置を検出可能な位置検出部と、を有し、
前記通信部は、前記位置検出部で検出された前記操作部材の操作位置を信号化し、前記汎用の表示装置に無線発信する、請求項１に記載の電動リールシステム。
【請求項３】
前記モータ制御部は、前記モータの側部に設けられる、請求項１又は２に記載の電動リールシステム。
【請求項４】
前記給電装置は、電源と、前記電源と前記電動リールを接続するケーブルを有する、請求項１又は２に記載の電動リールシステム。
【請求項５】
前記モータ制御部の少なくとも一部は、前記ケーブルに設けられる、請求項４に記載の電動リールシステム。
【請求項６】
前記モータ制御部の少なくとも一部は、前記電源に設けられる、請求項４に記載の電動リールシステム。
【請求項７】
前記モータ制御部は、パルス幅変調によって前記モータを駆動するモータ駆動部と、前記モータ駆動部を制御する駆動制御部と、を有する、請求項４に記載の電動リールシステム。
【請求項８】
前記モータ駆動部は、前記ケーブル及び前記電源のいずれか一方に設けられる、請求項７に記載の電動リールシステム。
【請求項９】
前記モータ駆動部は、前記電動リールに設けられる、請求項７に記載の電動リールシステム。
【請求項１０】
前記駆動制御部は、前記電動リールに設けられる、請求項９に記載の電動リールシステム。
【請求項１１】
前記通信部は、前記電動リールに設けられる、請求項１から１０のいずれか１項に記載の電動リールシステム。
【発明の詳細な説明】
【技術分野】
【０００１】
本発明は、リールシステム、特に、電動リールを含む電動リールシステムに関する。
【背景技術】
【０００２】
電動リールは、スプールの回転をモータによって行えるリールである。従来の電動リールには、モータを操作する操作部と、水深表示用のたとえば液晶ディスプレイからなる表示装置と、を有する。表示装置には、仕掛けの水深、モータの調整段階、棚位置などが表示される。表示装置を電動リールに設けると、電動リールが大型化するとともに、重量が増加する。そこで、電動リールの外部に表示装置を設けた電動リールが知られている（たとえば、特許文献１参照）。従来の電動リールは、表示装置は、電動リール専用のものであり、電気配線によって、電動リールに接続される。
【先行技術文献】
【特許文献】
【０００３】
【特許文献１】特開２００２−２７８７８号
【発明の概要】
【発明が解決しようとする課題】
【０００４】
従来の電動リールでは、表示装置を電動リールと別に設けたので、電動リールの小型化及び軽量化を図れる。しかし、大型の表示装置が竿支持具に固定され、さらに、表示装置と電動リールが有線で接続されるため、釣り人の動作とその範囲が制限される。
【０００５】
本発明の課題は、電動リールシステムにおいて、電動リールの小型化及び軽量化を図りつつ釣り人の動作とその範囲を制限しないようにすることにある。
【課題を解決するための手段】
【０００６】
本発明に係る電動リールシステムは、電動リールと、給電装置と、通信部と、モータ制御部と、を備える。電動リールは、リール本体、リール本体に支持されるモータ、モータによって回転駆動されるスプール、スプールの回転を検出する回転検出部、モータを操作する操作部、及び検出されたスプールの回転から表示情報を生成可能な表示情報生成部、を有する。通信部は、表示情報を汎用の表示装置に無線発信可能であり、表示情報を表示装置のみで表示させるためのものである。モータ制御部は、操作部の操作に応じてモータを制御可能である。通信部及びモータ制御部は、給電装置と電動リールの少なくともいずれか一方に設けられる。
【０００７】
この電動リールシステムでは、操作部が操作されると、モータ制御部によって、モータが制御され、スプールが糸巻き取り方向に回転する。また、仕掛けの自重、又はドラグの作動によって、スプールが糸繰り出し方向に回転する。この回転及び回転方向を含むスプールの回転の情報が回転検出部によって検出される。検出された回転の情報から表示情報が生成され、表示情報が通信部を介して釣り人が任意に準備した汎用の表示装置に発信され、汎用の表示装置のみで表示情報が表示される。汎用の表示装置として、例えば、スマートフォン、タブレット、及びスマートフォンを介して通信可能なウェラブル端末などの通信端末を用いることによって、大型の固定された表示装置を用いることなく表示情報を使用者が汎用の表示装置で視認できる。また、通信部とモータ制御部は、給電装置と電動リールの少なくともいずれか一方に設けられるので、電動リールをさらに小型化及び軽量化できる。さらに、釣り人が準備した任意のサイズの汎用の表示装置を使用できるので、電動リールが大型の固定された表示装置に有線で接続されることがなくなり、釣り人の動作やその範囲が制限されることがない。
【０００８】
操作部は、リール本体に移動可能に設けられる操作部材と、操作部材の移動位置を検出可能な位置検出部を有してもよい。この場合には、位置検出部の検出情報によって、通信部を介してモータの操作情報を表示装置に発信できる。このため、操作部材の移動位置を表示装置によって視認できる。
【０００９】
モータ制御部は、モータの側部に設けられてもよい。この場合には、リール本体の釣り竿から離反する端部までの距離が小さくなり、釣り竿とともに電動リールを掴みやすくなる。
【００１０】
給電装置は、電源と、電源と電動リールを接続するケーブルを有してもよい。この場合には、どのような場所でも電動リールを動作させることができる。
【００１１】
モータ制御部の少なくとも一部は、ケーブルに設けられてもよい。この場合には、電動リールにモータ制御部の少なくとも一部を設ける必要がないので、電動リールのさらなる小型化及び軽量化を図れる。
【００１２】
モータ制御部の少なくとも一部は、電源に設けられてもよい。この場合には、電動リールにモータ制御部の少なくとも一部を設ける必要がないので、電動リールのさらなる小型化及び軽量化を図れる。
【００１３】
モータ制御部は、パルス幅変調によってモータを駆動するモータ駆動部と、モータ駆動部を制御する駆動制御部と、を有してもよい。この場合には、モータ駆動部と、駆動制御部とを、別々に配置できる。特に電動リールにおいて、大きな体積を占めるモータ駆動部を電動リールの外部に配置することによって、電動リールのさらなる小型化及び軽量化を図れる。また、モータ駆動部は高温になりやすいが、外気に接触しやすい電動リールの外部にモータ駆動部を設けることによって、モータ駆動部の発熱対策も容易になる。
【００１４】
モータ駆動部は、ケーブル及び電源のいずれか一方に設けられてもよい。この場合には、電動リールの外部にモータ駆動部が設けられるので、電動リールのさらなる小型化及び軽量化を図れる。
【００１５】
モータ駆動部は、電動リールに設けられてもよい。この場合には、モータ駆動部をモータの近くに配置することによって、電動リールの小型化を図れる。
【００１６】
駆動制御部は、電動リールに設けられてもよい。この場合には、モータ駆動部と駆動制御部とを一つの回路基板に配置できる。このため、給電装置との間の信号線が不要になり、ケーブルの構成が簡素化する。
【００１７】
通信部は、電動リールに設けられてもよい。この場合には、通信部への信号線が不要になり、ケーブルの構成が簡素化する。
【００１８】
通信部は、給電装置に設けられてもよい。この場合には、電動リールを、電波を通しにくいが強度が高い金属製にすることができる。
【発明の効果】
【００１９】
本発明によれば、電動リールの小型化及び軽量化を図りつつ釣り人の動作とその範囲を制限しないようにできる。
【図面の簡単な説明】
【００２０】
【図１】本発明の第１実施形態による電動リールシステムの構成を示すブロック図。
【図２】電動リールシステムの構成を示す斜視一部正面図。
【図３】本発明の電動リールシステムの電動リールの第１側カバーを外した状態の側面図。
【図４】図３の切断線IV−IVによって切断した断面図。
【図５】本発明の第２実施形態による電動リールシステムの図１に相当するブロック図。
【図６】本発明の第３実施形態による電動リールシステムの図１に相当するブロック図。
【図７】本発明の第４実施形態による電動リールシステムの図１に相当するブロック図。
【発明を実施するための形態】
【００２１】
＜第１実施形態＞
図１及び図２において、本発明の第１実施形態による電動リールシステム２は、電動リール４と、給電装置６と、通信部８と、モータ制御部１０と、を備える。通信部８及びモータ制御部１０は、給電装置６と電動リール４の少なくともいずれか一方に設けられる。第１実施形態では、通信部８及びモータ制御部１０は、電動リール４に設けられる。
【００２２】
電動リール４は、釣り糸を前方に繰り出し可能であり、釣り竿ＲＤを持つ手で掴むことができる小型のリールである。なお、以降の電動リール４の説明では、釣り糸の繰り出し方向が前方向であり、左右は、電動リール４を後方から見たときの状態で表す。電動リール４は、表示装置を有しておらず、電動リール４の外部に設けられる汎用の表示装置ＤＳに表示情報を発信可能である。汎用の表示装置ＤＳは、例えば、スマートフォン、タブレット、及びスマートフォンを介して通信可能なウェラブル端末などの通信端末を含む。第１実施形態では、表示装置ＤＳは、例えば、手首に装着可能なウェラブル端末である。表示装置ＤＳに、電動リール４から発信される表示情報を表示可能にするアプリケーションをインストールすることによって、携帯端末を電動リール４の表示装置ＤＳとして機能させる。また、電動リール４は、電動リール４の外部に設けられる給電装置６から電力が供給される。
【００２３】
電動リール４は、図１及び図２に示すように、ハンドル１１、リール本体１２、モータ１４、スプール１６、回転検出部１８、操作部２０、制御部２２、及び受電部２４を有する。ハンドル１１は、スプール１６を手動で糸巻き取り方向に回転させるために設けられる。本実施形態では、ハンドル１１は、リール本体１２の右側に設けられる。なお、ハンドルがリール本体の左側に設けられてもよい。
【００２４】
図２及び図３に示すように、リール本体１２は、例えば、短繊維のグラスファイバーで強化された合成樹脂製の部材である。リール本体１２は、釣り竿ＲＤに装着可能な竿装着脚部３２、フレーム３４、サムレスト３６、並びに第１側カバー３８及び第２側カバー４０、を有する。竿装着脚部３２は、釣り竿ＲＤに装着可能に前後方向に延びる。竿装着脚部３２は、例えば、フレーム３４と一体的に形成される。フレーム３４は、図３及び図４に示すように、第１側板３４ａ及び第２側板３４ｂと、第１側板３４ａ及び第２側板３４ｂを前後に間隔を隔てて連結する複数の連結部３４ｃと、を含む。第１側板３４ａ及び第２側板３４ｂは、スプール１６の軸心Ｘ方向に間隔を隔てて対向する。サムレスト３６は、第１側板３４ａ及び第２側板３４ｂの間で軸心Ｘよりも竿装着脚部３２から離反して配置される。サムレスト３６は、電動リール４が釣り竿ＲＤに装着された状態で、釣り竿ＲＤを握る手の親指を載置可能な板状に形成される。サムレスト３６は、リール本体１２の糸繰り出し側である前部に設けられる。
【００２５】
第１側カバー３８及び第２側カバー４０は、第１側板３４ａ及び第２側板３４ｂを、スプール１６の軸方向外側から個別に覆う。第１側カバー３８と第１側板３４ａとの間、及び第２側カバー４０と第２側板３４ｂとの間には、それぞれ各種の機構を装着するための空間が形成される。
【００２６】
モータ１４は、リール本体１２に支持される。モータ１４は、第１側カバー３８と、第２側カバー４０と、によって囲まれた空間内に配置される。具体的には、モータ１４は、図３に示すように、スプール１６よりも前方に配置される。モータ１４は、第１側板３４ａと第２側板３４ｂとを連結する筒状に形成された前側の連結部３４ｃの内部に収納される。前側の連結部３４ｃは、スプール１６よりも前方に配置される。
【００２７】
スプール１６は、モータ１４によって回転駆動される。スプール１６は、図４に示すように、第１側板３４ａ及び第２側板３４ｂの間に回転可能に支持され、外周に釣り糸が巻き付けられる。スプール１６は、中心を貫通するスプール軸４２に一体回転可能に連結される。スプール１６は、スプール軸４２を介してリール本体１２に回転自在に支持される。スプール軸４２は、第１側板３４ａ及び第２側カバー４０に軸受によって回転自在に支持される。スプール１６は、一体形成された糸巻き胴部１６ａ、第１フランジ部１６ｂ、第２フランジ部１６ｃ、及びボス部１６ｄ、を有する。第１フランジ部１６ｂは、糸巻き胴部１６ａの一端に一体形成され、第１側板３４ａに対向して配置される。第２フランジ部１６ｃは、糸巻き胴部１６ａの他端に一体形成され、第２側板３４ｂに対向して配置される。ボス部１６ｄは、糸巻き胴部１６ａとスプール軸４２との間に配置され、スプール軸４２に一体回転可能に連結される。第１フランジ部１６ｂの第１側板３４ａと対向する面には、周方向に間隔を隔てて配置され、第１側板３４ａに向けて突出する複数（例えば２つ）の突起部１６ｅが設けられる。各突起部１６ｅには、回転検出部１８によって検出される磁石４４が装着される。
【００２８】
回転検出部１８は、第１側カバー３８及び第２側カバー４０のいずれか一方の内部に収容され、スプール１６の回転を検出する。本実施形態では、図３に示すように、回転検出部１８は、第１側カバー３８の内部に収容される。具体的には、回転検出部１８は、第１側板３４ａに設けられるセンサケース４８内に収容されるセンサ４６を有する。センサ４６は、例えばホール素子である。センサ４６は、第１フランジ部１６ｂに設けられる複数の磁石４４の磁力を検出することによって、スプール１６の回転方向及び回転位置の変化（例えば、スプール１６の回転速度及びスプール１６が所定の位置（例えば、スプール１６への釣り糸の巻初め位置）から何回転したかを示す回転数）を検出可能である。センサ４６は、ホール素子に限定されず、ロータリエンコーダ又は光センサでもよい。
【００２９】
操作部２０は、モータ１４を操作するためにリール本体１２に設けられる。操作部２０は、リール本体１２に移動可能に設けられる操作部材２０ａと、操作部材２０ａの移動位置を検出可能な位置検出部２０ｂと、を有する。操作部材２０ａはレバー又は円形のダイヤルの形態である。本実施形態では、操作部材２０ａは、図２に示すように、第２側板３４ｂと第２側カバー４０の間に回動自在に配置されるダイヤルの形態である。操作部材２０ａの回動範囲は、例えば１２０度程度である。操作部材２０ａの操作位置（例えば、操作部２０の回動位置）は、位置検出部２０ｂによって検出される。位置検出部２０ｂは、例えば、操作部材２０ａに設けられる図示しない検出子を検出するセンサを有する。例えば検出子は磁石であり、センサはホール素子である。なお、センサは、ホール素子に限定されず、ロータリエンコーダ又は光センサでもよい。位置検出部２０ｂは、センサから操作部材２０ａの移動位置である回動位置を出力する。
【００３０】
制御部２２は、第１側カバー３８及び第２側カバー４０のいずれか一方の側カバーの内部に収容される。第１実施形態では、制御部２２は、回転検出部１８と同じ側カバー、すなわち、モータ１４の側部に配置される第１側カバー３８の内部に設けられる。具体的には、図３に示すように、制御部２２は、第１側板３４ａの第１側カバー３８と対向する面に固定された合成樹脂製の制御ケース５０内に収容される。制御部２２は、例えば、マイクロコンピュータによって構成される。制御部２２は、図１に示すように、モータ制御部１０の一部である駆動制御部１０ａと、表示情報生成部２２ａと、を有する。駆動制御部１０ａ及び表示情報生成部２２ａは、第１実施形態では、制御部２２によってソフトウェアで実現される機能構成である。モータ制御部１０は、駆動制御部１０ａと、モータ駆動部１０ｂと、を有する。モータ駆動部１０ｂは、デューティー比を用いたパルス幅変調によってモータ１４を駆動する。モータ駆動部１０ｂは、図４に示すように、制御ケース５０内に制御部２２とともに収容される複数の電界効果トランジスタ１０ｃを含む。
【００３１】
駆動制御部１０ａは、操作部材２０ａの回動位置の段階に応じてモータ駆動部１０ｂをデューティー制御する。具体的には、駆動制御部１０ａは、操作部材２０ａの操作範囲を複数段階（例えば３１段階）に分割して、速度一定モードと、張力一定モードとの二つの制御モードのいずれかでモータ駆動部１０ｂを制御可能である。速度一定モードでは、スプール１６の回転速度を複数段階に設定できる。張力一定モードでは、釣り糸に作用する張力を複数段階に設定できる。表示情報生成部２２ａは、回転検出部１８の検出結果から表示情報を生成する。具体的には、回転検出部１８によって検出された回転数からスプール１６から繰り出された糸長を算出し、仕掛けの水深の表示情報を生成する。
【００３２】
受電部２４は、モータ１４を駆動する電力を給電装置６から受ける。受電部２４は、図３及び図４に示すように、第１側カバー３８と第１側板３４ａとの間に設けられる雄コネクタ２４ａを有する。雄コネクタ２４ａは、例えば給電装置６のケーブル６ｂを着脱可能かつ電気的に接続可能であり、内部に図示しない複数の端子ピンが設けられる。
【００３３】
給電装置６は、直流の電源６ａと、電源６ａと電動リール４とを電気的に接続するケーブル６ｂと、を有する。ケーブル６ｂは、電源６ａ及び受電部２４に着脱可能、かつ電気的に接続可能である。ケーブル６ｂは、受電部２４の雄コネクタ２４ａに電気的に着脱可能に接続される雌コネクタ６ｃと、電源６ａの正負の端子に電気的に接続可能な一対のクリップ６ｄと、配線を一対のクリップ６ｄに分配するためのボックス６ｅとを有する。なお、給電装置は、電動リール４の受電部２４に着脱可能に装着される電源だけで構成されてもよい。
【００３４】
通信部８は、例えば制御ケース５０内に制御部２２とともに収容される。通信部８は、回転検出部１８の検出結果に関する情報を信号化し、表示装置ＤＳに無線発信する。また、通信部８は、位置検出部２０ｂで検出された操作部材２０ａの操作位置を信号化し、表示装置ＤＳにさらに無線発信する。通信部８は、IEEE 802.15.1又はIEEE 802.15.4等で規格化された近距離無線通信規格に準拠した信号を発信する。
【００３５】
このように構成された電動リールシステム２では、釣りを行う前に、電源６ａに接続されたケーブル６ｂを受電部２４に接続し、電動リール４に電力を供給する。
【００３６】
クラッチオフ操作によって、釣り糸をスプール１６から繰り出すと、回転検出部１８によって、スプール１６の糸繰り出し方向の回転が検出される。この回転に応じた信号が通信部８から表示装置ＤＳに発信され、表示装置ＤＳの水深表示の数値が増加する。クラッチオン操作を行うと、釣り糸の繰り出しが止まり、スプール１６の回転が停止し、表示装置ＤＳでの水深表示の増加が止まる。
【００３７】
操作部材２０ａを操作すると、操作部材２０ａの回動位置に応じて駆動制御部１０ａがモータ駆動部１０ｂを制御し、モータ１４がスプール１６を糸巻き取り方向に回転させる。スプール１６が糸巻き取り方向に回転すると、回転検出部１８がスプール１６の回転を検出し、表示情報生成部２２ａが、糸長を算出して表示情報を生成する。生成された表示情報、及び位置検出部２０ｂで検出された回動位置は、通信部８によって信号化され表示装置ＤＳに発信される。この信号を予めペアリングされた表示装置ＤＳが受信する。表示装置ＤＳでは、回動位置及び表示情報をアプリケーションによって、表示情報を数値及び図形の少なくともいずれかで表示する。また、回動位置を値（例えば、０−３１の数値）及び図形の少なくともいずれかで表示する。ここでは、通信部８から表示情報及び回動位置を無線で表示装置ＤＳに発信し、それらの情報が表示装置ＤＳに表示されるので、電動リール４の小型化及び軽量化を図れる。さらに、釣り人がすでに使用している任意のサイズの汎用の表示装置ＤＳで表示情報及び操作情報を表示できるので、電動リール４の外部に表示装置ＤＳを設けても、釣り人の動作やその範囲を制限しない。
【００３８】
＜第２実施形態＞
以降の説明では、下記に説明する構成以外の電動リールシステム２の構成は、第１実施形態と同じであるので、図に符号を付してその構成の説明を省略する。
【００３９】
図５に示すように、第２実施形態の電動リールシステム１０２では、モータ制御部１１０の少なくとも一部がケーブル６ｂに設けられる。第２実施形態では、駆動制御部１１０ａは、第１実施形態と同様に電動リール４に設けられるが、モータ駆動部１１０ｂは、給電装置６に設けられる。第２実施形態では、モータ駆動部１１０ｂは、給電装置６のケーブル６ｂのボックス６ｅに設けられる。第２実施形態では、ボックス６ｅと電動リール４との間の配線には、電力線に加えて複数本の信号線が追加される。一つの信号線は、駆動制御部１１０ａとモータ駆動部１１０ｂとを接続し、別の信号線は、モータ駆動部１１０ｂとモータ１４とを接続する。このような構成の第２実施形態でも、第１実施形態と同様な作用効果を奏する。また、電動リール４において、大きな体積を占めるモータ駆動部１１０ｂをケーブル６ｂに配置することによって、電動リール４のさらなる小型化及び軽量化を図れる。さらに、モータ駆動部１１０ｂは高温になりやすいが、外気に接触しやすいケーブル６ｂにモータ駆動部１１０ｂを設けることによって、モータ駆動部１１０ｂに対する発熱対策も容易になる。
【００４０】
＜第３実施形態＞
図６に示すように、第３実施形態の電動リールシステム２０２では、モータ制御部２１０の少なくとも一部は電源６ａに設けられる。第２実施形態では、モータ制御部２１０の駆動制御部２１０ａは、第１実施形態と同様に電動リール４に設けられるが、モータ駆動部２１０ｂは、電源６ａに設けられる。第３実施形態では、電源６ａと電動リール４との間の配線には、電力線に加えて複数本の信号線が追加される。一つの信号線は、駆動制御部２１０ａとモータ駆動部２１０ｂとを接続し、別の信号線は、モータ駆動部２１０ｂとモータ１４とを接続する。このような構成の第３実施形態でも、第１実施形態と同様な作用効果を奏する。また、電動リール４において、大きな体積を占めるモータ駆動部１１０ｂを電源６ａに配置することによって、電動リール４のさらなる小型化及び軽量化を図れる。さらに、モータ駆動部１１０ｂは高温になりやすいが、外気に接触しやすい電源６ａにモータ駆動部２１０ｂを設けることによって、モータ駆動部２１０ｂに対する発熱対策も容易になる。
【００４１】
＜第４実施形態＞
図７に示すように、第４実施形態の電動リールシステム３０２では、通信部３０８が、電動リール４ではなく、給電装置６に設けられる。具体的には給電装置６のケーブル６ｂのボックス６ｅに設けられる。なお、給電装置６の電源６ａに通信部を設けてもよい。この場合には、電動リール４を、電波を通しにくいが強度が高い金属製にすることができる。
【００４２】
＜特徴＞
上記実施形態は、下記のように表現可能である。
（Ａ）電動リールシステム２は、電動リール４と、給電装置６と、通信部８と、モータ制御部１０と、を備える。電動リール４は、リール本体１２、リール本体１２に支持されるモータ１４、モータ１４によって回転駆動されるスプール１６、スプール１６の回転を検出する回転検出部１８、モータ１４を操作する操作部２０、及び検出されたスプール１６の回転から表示情報を生成可能な表示情報生成部２２ａ、を有する。通信部８は、表示情報を汎用の表示装置ＤＳに無線発信可能であり、表示情報を表示装置ＤＳのみで表示させるためのものである。モータ制御部１０は、操作部２０の操作に応じてモータ１４を制御可能である。通信部８及びモータ制御部１０は、給電装置６と電動リール４の少なくともいずれか一方に設けられる。
【００４３】
この電動リールシステム２では、操作部２０が操作されると、モータ制御部１０によって、モータ１４が制御され、スプール１６が糸巻き取り方向に回転する。また、仕掛けの自重、又はドラグの作動によって、スプール１６が糸繰り出し方向に回転する。この回転及び回転方向を含むスプール１６の回転の情報が回転検出部１８によって検出される。検出された回転の情報から表示情報が生成され、表示情報が通信部８を介して汎用の表示装置ＤＳに発信され、汎用の表示装置ＤＳのみで表示情報が表示される。汎用の表示装置ＤＳとして、例えば、スマートフォン、タブレット、及びスマートフォンを介して通信可能なウェラブル端末などの通信端末を用いることによって、専用の表示装置を用いることなく表示情報を使用者が汎用の表示装置ＤＳで視認できる。また、通信部８とモータ制御部１０は、給電装置６と電動リール４の少なくともいずれか一方に設けられるので、電動リール４をさらに小型化及び軽量化できる。さらに、汎用の表示装置ＤＳを使用できるので、電動リール４に表示装置ＤＳを設ける必要がなくなり、釣り人の動作とその範囲を制限せずに済む。
【００４４】
（Ｂ）操作部２０は、リール本体１２に移動可能に設けられる操作部材２０ａと、操作部材２０ａの移動位置を検出可能な位置検出部２０ｂを有してもよい。この場合には、位置検出部２０ｂの検出情報によって、通信部８を介してモータ１４の操作情報を表示装置ＤＳに発信できる。このため、操作部材２０ａの移動位置を表示装置ＤＳによって視認できる。
【００４５】
（Ｃ）モータ制御部１０は、モータ１４の側部に設けられてもよい。この場合には、リール本体１２の釣り竿ＲＤから離反する方向の端部までの距離が小さくなり、釣り竿ＲＤとともに電動リール４を掴みやすくなる。
【００４６】
（Ｄ）給電装置６は、電源６ａと、電源６ａと電動リール４を接続するケーブル６ｂを有してもよい。この場合には、どのような場所でも電動リール４を動作させることができる。
【００４７】
（Ｅ）モータ制御部１１０の少なくとも一部は、ケーブル６ｂに設けられてもよい。この場合には、電動リール４にモータ制御部１１０の少なくとも一部を設ける必要がないので、電動リール４のさらなる小型化及び軽量化を図れる。
【００４８】
（Ｆ）モータ制御部２１０の少なくとも一部は、電源６ａに設けられてもよい。この場合には、電動リール４にモータ制御部２１０の少なくとも一部を設ける必要がないので、電動リール４のさらなる小型化及び軽量化を図れる。
【００４９】
（Ｇ）モータ制御部１０は、パルス幅変調によってモータを駆動するモータ駆動部１０ｂと、モータ駆動部１０ｂを制御する駆動制御部１１０ａと、を有してもよい。この場合には、モータ駆動部１１０ｂと、駆動制御部１１０ａとを、別々に配置できる。特に電動リール４において、大きな体積を占めるモータ駆動部１１０ｂを電動リール４の外部に配置することによって、電動リール４のさらなる小型化及び軽量化を図れる。また、モータ駆動部１１０ｂは高温になりやすいが、外気に接触しやすい電動リール４の外部にモータ駆動部１１０ｂを設けることによって、モータ駆動部１１０ｂの発熱対策も容易になる。
【００５０】
（Ｈ）モータ駆動部１１０ｂ（又は２１０ｂ）は、ケーブル６ｂ（又は電源６ａ）に設けられてもよい。この場合には、電動リール４の外部にモータ駆動部１１０ｂ（又は２１０ｂ）が設けられるので、電動リール４のさらなる小型化及び軽量化を図れる。
【００５１】
（Ｉ）モータ駆動部１０ｂは、電動リール４に設けられてもよい。この場合には、モータ駆動部１０ｂをモータ１４の近くに配置することによって、電動リール４の小型化を図れる。
【００５２】
（Ｊ）駆動制御部１０ａは、電動リール４に設けられてもよい。この場合には、モータ駆動部１０ｂと駆動制御部１０ａとを一つの回路基板に配置できる。このため、給電装置６との間の信号線が不要になり、ケーブル６ｂの構成が簡素化する。
【００５３】
（Ｋ）通信部８は、電動リール４に設けられてもよい。この場合には、通信部８への信号線が不要になり、ケーブル６ｂの構成が簡素化する。
【００５４】
（Ｌ）通信部３０８は、給電装置６に設けられてもよい。この場合には、電動リール４を、電波を通しにくいが強度が高い金属製にすることができる。
【００５５】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００５６】
（ａ）汎用の表示装置ＤＳは、上記の通信端末に限定されず、電動リール４と近距離無線通信規格等で通信可能な汎用のものであればどのようなものでもよい。
【００５７】
（ｂ）上記実施形態では、通信部８、３０８が信号の発信を行っているが、本発明がこれに限定されない。通信部８，３０８が表示装置ＤＳからの信号を受信できるように構成してもよい。この場合には、表示装置ＤＳで、アプリケーションによって、例えば、モータの制御モードの切り換え、糸長とスプールの回転数との関係の学習、魚が群れている棚位置の設定などのための操作が可能になる。これによって、これらの操作を行う操作部を電動リールに設けなくてもよい。
【００５８】
逆に、上記の操作を行える別の操作部を電動リール４に設ければ、小型化及び軽量化の面では不利になるが、電動リール４の操作性が向上する。この場合、別の操作部は、サムレスト３６又は第１側カバー３８に設けてもよい。また別の操作部は、一つの操作部の異なる操作方法（例えば、短押し又は長押し、若しくは、シングルクリック又はダブルクリック及びそれらの組み合わせ）によって、複数の操作を実現するようにしてもよい。
【００５９】
（ｃ）第２実施形態から第４実施形態では、モータ制御部のモータ駆動部だけを給電装置６に設けたが、駆動制御部を含めてモータ制御部全体を給電装置６に設けてもよい。
【００６０】
（ｄ）第２実施形態から第４実施形態では、信号線によって、電動リールに設けた駆動制御部と給電装置に設けたモータ駆動部とを接続したが、本発明はこれに限定されない。電力線通信方式を採用して電力線だけで駆動制御部とモータ駆動部とを接続してもよい。
【００６１】
（ｅ）上記実施形態では電源６Ａの電力は、電動リールに供給されるが、本発明はこれに限定されない。電源６ａの電力を表示装置ＤＳに供給できるように、ケーブルを構成してもよい。
【符号の説明】
【００６２】
４    電動リール
６    給電装置
６ａ  電源
６ｂ  ケーブル
８、３０８    発信部
１２    リール本体
１４    モータ
１６    スプール
１８    回転検出部
２０    操作部
２０ａ  操作部材
２０ｂ  位置検出部
１０、１１０、２１０  モータ制御部
１０ａ、１１０ａ、２１０ａ  駆動制御部
１０ｂ、２１０ｂ、２１０ｂ  モータ駆動部
２２ａ  表示情報生成部
ＤＳ    表示装置
【図１】
0006606326.tif 000002
【図２】
0006606326.tif 000003
【図３】
0006606326.tif 000004
【図４】
0006606326.tif 000005
【図５】
0006606326.tif 000006
【図６】
0006606326.tif 000007
【図７】
0006606326.tif 000008